(57)【要約】【目的】簡単な構造で操作しやすく、設置場所が小さく、見栄えが良好な収納式流し台を提供する。【構成】収納式流し台１の開口５に設けられた基板３０と流し板３１からなる流し部６を閉止位置ＣＬに設定すると、筐体４の内部で流し板３１がその後端部を垂下した状態となり、基板３０を手前に回動すると流し板３１は支持部３６に支持されつつ錘３７と釣り合う小さな力で回動でき、開放位置ＯＰでは流し板３１の水受け面３１ａが開口５の奥側に向けて下降するような微小な傾斜状態に設定されるとともに流し板３１の立上り３２が当接部３８に下方から当接した状態となって流し部６の位置が固定される。【選択図】図３
2005131025.tif 000002
【特許請求の範囲】
【請求項１】
前面に開口が形成された基体と、
前記開口に臨む前記基体の奥側の位置に設けられた蛇口と、
前記開口を開閉するように回動自在に取り付けられ、前記開口を開放する開放位置ではその水受け面が前記開口の奥側に向けて下降するような傾斜状態に設定され、その両側縁には立上りが設けられた略平板状の流し部と、
前記流し部の後端の下方に設けられて前記水受け面の後端から落下する水を受けて排出する排水手段と、
を有する収納式流し台。
【請求項２】
前記流し部は、前記開口の下縁にその基端部が回動可能に取り付けられた基板と、前記基板の上に重ねられて前記基板の先端部にその先端部が回動可能に取り付けられるともにその上面が前記水受け面とされた流し板とを有しており、
前記基板が前記開口を閉止した際には前記基体の内部で前記流し板がその後端部を垂下した状態となり、
前記基板を前記開放位置に設定した際には前記流し板が前記基板の上で前記傾斜状態に設定されることを特徴とする請求項１記載の収納式流し台。
【請求項３】
前記流し板の後端部には前記流し部が回動する際の平衡を取るための錘が取り付けられており、
前記基板が前記開口を閉止した際には、前記流し板は前記基体に設けられた支持部に下面を支持された状態となり、
前記基板を回動する際には、前記流し板は前記基体に設けられた支持部に下面を支持されて回動し、
前記基板を前記開放位置に設定した際には、前記流し板は支持部に下面を支持されるとともに前記立上りが前記基体に設けられた当接部に下方から当接した状態で保持されることを特徴とする請求項２記載の収納式流し台。
【請求項４】
前記排水手段は、所定範囲内で回動する前記流し板の後端部の下方に設けられて前記基板が前記開口を閉止した際には前記流し板の後端部を内部に受け入れる排水箱と、該排水箱に連通して前記基体の外に排水を導く排水管とを有している請求項３記載の収納式流し台。
【請求項５】
前記流し板の先端部には後方に開放された袋状係合部が下面側に設けられており、前記基板の先端部には曲面状の接触表面を有する凸状係合部が設けられて前記袋状係合部に着脱可能に挿入されて係合していることを特徴とする請求項２記載の収納式流し台。
【請求項６】
前記開口を閉止した際に表側となる前記基板の下面に鏡が設けられていることを特徴とする請求項２記載の収納式流し台。
【発明の詳細な説明】
【技術分野】
【０００１】
本発明は、蛇口から流れ出る水を受けるためのシンクに相当する部分が平板状であり、かつ当該部分が本体に対して収納可能であって、使用時には手前側に倒して使用できる使い勝手に優れたコンパクトな収納式流し台に関するものである。
【背景技術】
【０００２】
従来知られている一般的な流し台においては、蛇口から流れ出る水を受け又は排出する排水孔が設けられたシンクはボール様の内形状を有しており、基台の天板の定位置に固定されているのが通常であった。しかしながら、設置対象物又は設置位置によっては流し台を設置するスペースが十分でない場合もあり、かかる場合にはシンクを小型にせざるを得ない。
【発明の開示】
【発明が解決しようとする課題】
【０００３】
上に述べたような条件下であっても、小型のシンクでは使い勝手が良好ではないので、通常サイズのシンクを使用時のみ使用位置に配置し、不使用時には適当な収納場所に収納できるような構造を本願発明者等は検討した。しかし、ボール状のシンクを収納するには相応の空間が必要であり、またボール状のシンクから排水を排出するための設備を簡単な構造で実現しながら収納式とするのには技術的に多大な困難が伴い、構造が大掛かりで複雑になり、このためシンクを展開・収納する操作の簡便さや作用の確実性を実用上十分なものとすることも難しい。
【０００４】
そこで、本発明は、簡単な構造で操作しやすく、設置場所が小さくて済み、見栄えも良好な収納式流し台を提供することを目的としている。
【課題を解決するための手段】
【０００５】
請求項１に記載された収納式流し台は、
前面に開口が形成された基体と、
前記開口に臨む前記基体の奥側の位置に設けられた蛇口と、
前記開口を開閉するように回動自在に取り付けられ、前記開口を開放する開放位置ではその水受け面が前記開口の奥側に向けて下降するような傾斜状態に設定され、その両側縁には立上りが設けられた略平板状の流し部と、
前記流し部の後端の下方に設けられて前記水受け面の後端から落下する水を受けて排出する排水手段とを有している。
【０００６】
請求項２に記載された収納式流し台は、請求項１記載の収納式流し台において、
前記流し部は、前記開口の下縁にその基端部が回動可能に取り付けられた基板と、前記基板の上に重ねられて前記基板の先端部にその先端部が回動可能に取り付けられるともにその上面が前記水受け面とされた流し板とを有しており、
前記基板が前記開口を閉止した際には前記基体の内部で前記流し板がその後端部を垂下した状態となり、
前記基板を前記開放位置に設定した際には前記流し板が前記基板の上で前記傾斜状態に設定されることを特徴としている。
【０００７】
請求項３に記載された収納式流し台は、請求項２記載の収納式流し台において、
前記流し板の後端部には前記流し部が回動する際の平衡を取るための錘が取り付けられており、
前記基板が前記開口を閉止した際には、前記流し板は前記基体に設けられた支持部に下面を支持された状態となり、
前記基板を回動する際には、前記流し板は前記基体に設けられた支持部に下面を支持されて回動し、
前記基板を前記開放位置に設定した際には、前記流し板は支持部に下面を支持されるとともに前記立上りが前記基体に設けられた当接部に下方から当接した状態で保持されることを特徴としている。
【０００８】
請求項４に記載された収納式流し台は、請求項３記載の収納式流し台において、
前記排水手段は、所定範囲内で回動する前記流し板の後端部の下方に設けられて前記基板が前記開口を閉止した際には前記流し板の後端部を内部に受け入れる排水箱と、該排水箱に連通して前記基体の外に排水を導く排水管とを有している。
【０００９】
請求項５に記載された収納式流し台は、請求項２記載の収納式流し台において、
前記流し板の先端部には後方に開放された袋状係合部が下面側に設けられており、前記基板の先端部には曲面状の接触表面を有する凸状係合部が設けられて前記袋状係合部に着脱可能に挿入されて係合していることを特徴としている。
【００１０】
請求項６に記載された収納式流し台は、請求項２記載の収納式流し台において、
前記開口を閉止した際に表側となる前記基板の下面に鏡が設けられていることを特徴としている。
【発明の効果】
【００１１】
請求項１に記載された収納式流し台によれば、場所をとらず軽量な略平板状の流し部を必要な時だけ簡単な動作で回動して開口の開放位置に設定して水を使用することができ、使用した水は流し部の水受け面に落ち、立上りのために側縁からこぼれることなく導かれて後端から落下して排水手段により排出できる。
【００１２】
請求項２に記載された収納式流し台によれば、請求項１記載の収納式流し台の効果に加え、基板を開閉することによって該基板に連結された流し板も回動し、開口が基板で閉止された際には流し板は後端部を垂下した状態になるので流し板上の水は下方の排水手段に流れ落ち、開口が開放された際には流し板が基板の上で傾斜状態に設定されるので、平板状の流し板でありながら水受け面に落ちた水は後方に流れて排水手段に導かれることとなる。
【００１３】
請求項３に記載された収納式流し台によれば、請求項２記載の収納式流し台の効果に加え、基板を回動させて開口を開閉すると、基板に連結された流し板は錘によって平衡をとりながら支持部に下面を支持されて円滑に回動することができ、開放位置ではさらに立上りが当接部に下方から当接するので、安定した状態に保持され、水受け面に水が落下しても流し部の保持状態が不安定になることはない。
【００１４】
なお、前記支持部は回動する流し板の下面に当接するので、摩擦を少なくするために面取り加工又は曲面状加工することが好ましい。また、当接部は、開放位置に向けて上方に回動してきた流し板の後端部の立上りを当接して保持するので、当接時の衝撃を緩和するようにゴム等のような弾性材料を緩衝部材として設けておくことが好ましい。
【００１５】
請求項４に記載された収納式流し台によれば、請求項３記載の収納式流し台の効果に加え、流し板の後端部から落下する排水は、すべて排水箱の内部に確実に受け入れられて排水箱で基体の外に導くことができる。
【００１６】
請求項５に記載された収納式流し台によれば、請求項２記載の収納式流し台の効果に加え、前記基板の先端部にある凸状係合部に前記流し板の先端部の袋状係合部が係合しているので、基板を開閉する際に流し板は基板に円滑に追従して移動することができ、また流し板を前方に引けば流し板の袋状係合部は基板の凸状係合部から容易に外れるので、流し板や基板の清掃や交換作業が容易に行なえる。
【００１７】
請求項６に記載された収納式流し台によれば、請求項２記載の収納式流し台の効果に加え、前記開口を閉止した際に前記基板の下面に設けられた鏡が表面となるので、流し台として使用しない場合にも化粧用等の鏡として用いることができる。
【００１８】
さらに、開閉可能な流し部によって覆われている基体の開口の上側に別途鏡を設け、この鏡を必要に応じて下方の所望の位置に移動して配置できるように構成すれば、流し部を開いて流し板を化粧台として使用しつつ水も使用しながら、そのやや上方の所望の位置に配置した鏡で顔を見ることができるので、水を使用できるドレッサーとして便利に使用することもできる。
【発明を実施するための最良の形態】
【００１９】
以下、本発明を実施するために特許出願人が出願時点で最良と思う本発明の収納式流し台の実施の形態（以下本例とも呼ぶ）を図１〜図８を参照して説明する。
図１は図２のＡ−Ａ切断線における本例の縦断面図、図２は筐体の内部を表すために扉を撤去し流し部を手前に開放した状態を示す本例の正面図、図３は図１の要部拡大図、図４は図２の要部拡大図、図５は図４のＢ−Ｂ切断線における拡大断面図、図６は開閉部分が閉止状態にある本例の斜視図、図７は開閉部分が開放動作中の状態にある本例の斜視図、図８は開閉部分が開放状態にある本例の斜視図である。
【００２０】
（１）全体の概略構成
図１、図２及び図６〜図８は、下半部の収納式流し台１と上半部の収納棚２を一体に組み合わせてなるユニット式ドレッサー３の全体を示す。
収納式流し台１は、縦長で奥行きの短い薄型の筐体４を基体とし、この筐体４の開口５に設けられて該開口５を開閉する略平板状の収納式の流し部６と、筐体４内において流し部６の下方に設けられた排水手段７が設けられた排水区画１７と、流し部６と排水区画１７の側方に流し部６と排水区画１７にそれぞれ対応して設けられた２つの収納部８，９とを有している。２つの収納部８，９のうち、上側の収納部８には上側の小棚８ａと下側の１つの引き出し８ｂが設けられ、下側の収納部９には３つの引き出し９ａ，９ｂ，９ｃが縦に並んで設けられている。
【００２１】
図６に示すように、排水手段７がある排水区画１７及び２つの収納部８，９にはそれぞれ扉１７’，８’，９’が設けられており、また開閉可能な流し部６は閉止状態では他の３枚の扉１７’，８’，９’と同一平面内に配置される。
【００２２】
また、収納棚２の内部空間は、図２に示すように複数段の水平な棚板１０と１枚の鉛直方向の仕切り板１１で仕切られており、図６に示すように３枚の扉１２’，１３’，１４’によって３つの収納領域１２，１３，１４に区分けされている。
【００２３】
これらの扉のうち、２枚の扉１２’，１３’は鉛直方向の回動軸を中心として横方向に開く構造であり、第３の扉１４’は図６〜図８に示すように筐体４内に設けられた一対の平行リンク支持機構２０，２０に連結されて筐体４の開口の閉止位置と下方の流し部６に下半部が対面する下方位置との間で平行移動することができるが、この第３の扉１４’は閉止状態では他の２枚の扉１２’，１３’と同一平面内に配置される。
【００２４】
そして、ユニット式ドレッサー３を構成する収納棚２と収納式流し台１の各扉１７’，８’，９’，１２’，１３’，１４’及び流し部６の表面には各部の外形に合わせた矩形の鏡がそれぞれ設けられており、各鏡の隙間をのぞけば、すべての鏡は一平面内に配置されて全体として大きな１枚の鏡のような状態となり、姿見等として使用することができる。
【００２５】
（２）収納式流し台１の構成
図３に示すように、筐体４の前面に設けられた開口５には、開口５を開閉する流し部６がヒンジ等の回動支持手段２１によって回動自在に取り付けられている。この流し部６は互いに回動可能に連結された基板３０と流し板３１からなる。すなわち、開口５の下縁には開口５に適合した外形寸法の扉である矩形の基板３０の基端部（基端辺）が回動可能に取り付けられており、該基板３０の先端部（先端辺）には基板３０よりも幅が小さく奥行きの長い矩形の流し板３１の先端部（先端辺）が回動可能に取り付けられて該基板３０の上面に重ねられるように配置されている。
【００２６】
前記流し板３１はステンレス製であり、その上面が水受け面３１ａとされており、その両側縁には後方（筐体４の内部に向かう方向）に向かうにつれて高さが大きくなる全体として略三角状の立上り３２が対で設けられている。また、流し板３１の後端部分はそのまま後方に切れ落ちており、使用後の水が後方に落下できるようになっている。また、前述したように、前記基板３０の表面側には鏡３３が取り付けられている。
【００２７】
流し板３１と基板３０の回動可能な連結構造であるが、図５に拡大して示すように、流し板３１の先端部には後方に開放された断面略コ字形の袋状係合部３４が下面側に設けられており、前記基板３０の先端部に形成された段部３０ａには曲面状（本例では半円柱の周面状）の接触表面を有する凸状係合部３５が設けられており、この袋状係合部３４が凸状係合部３５に着脱可能に挿入されて両板３０，３１は係合している。従って、流し板３１と基板３０は着脱自在であり、流し板３１を前方（筐体４から離れる方向、図５において右方）に引けば両板３０，３１は外れるので清掃や交換が容易である。また、この結合部分は凸状係合部３５の曲面と平坦なステンレス板の下面が接触するので摩擦が少なく回動が滑らかで不快な摩擦音などは生じない。
【００２８】
図３に示すように、前記流し板３１は、筐体４内において開口５の下縁の近傍に設けられた支持部３６が、その後半部分の下面に下から接触することによって支持されており、基板３０を開閉する際には流し板３１が常時支持部３６に接触して支持された状態で基板３０とともに回動するようになっている。なお、この支持部３６の角には丸みがつけられており、回動する流し板３１の下面を滑らかに支持することができる。そして、流し板３１の後端部には、流し部６全体が回動する際の平衡がとれるように適当な重量に設定された錘３７が取り付けられており、筐体４の内部の更に奥側には基板３０が開放位置に来たときに流し板３１の立上り３２の上端が下側から当接する当接部３８が設けられている。この当接部３８は、閉止位置にある基板３０と平行に開口５内に設けられた板体３９と、該板体３９の下端面であって一対の立上り３２に対応する位置に設けられた弾性部材乃至緩衝部材としての半球状のゴム材４０とからなる。
【００２９】
従って、図３中に実線及び想像線で示すように、基板３０を閉止位置ＣＬに設定した際には筐体４の内部で流し板３１がその後端部を垂下した状態となり、基板３０を回動する際には流し板３１は支持部３６に支持されつつ錘３７と釣り合う小さな力で回動することができ、基板３０を前記開放位置ＯＰに設定した際には流し板３１の水受け面３１ａが開口５の奥側に向けて下降するような微小な傾斜状態に設定されるとともに流し板３１の立上り３２が当接部３８に下方から当接した状態となって流し部６の位置が固定されるので流し部６が所定の略水平な位置よりも下方に下がりすぎてしまうことがない。
【００３０】
なお、本例では、流し板３１の微小な傾斜状態を１２０分の１の勾配とし、流し板３１の奥行きの寸法を６５０ｍｍとしたので、流し板３１の先端と後端の間の落差は約５．４ｍｍ程となったが、前記勾配は概ね３／１００〜５／１００の範囲であることが好ましい。
【００３１】
開口５の奥にあって前記当接部３８を構成する板体３９には、蛇口４１が設けられている。この蛇口４１のちょうど真下が開口位置ＯＰにある流し板３１の後端部（筐体４の内部にある部分）の水受け面３１ａに対面している。また、この板体３９の前面略中央には、水平に棚板４２が設けられており、物を置くことができる。この棚板４２の上側の板体３９に蛇口４１を開閉するハンドル４３が設けられている。
【００３２】
流し部６の下方に設けられた排水区画１７の排水手段７は、流し部６の後端部の下方に設けられて流し板３１の水受け面３１ａの後端から落下する水を受ける排水箱５０と、該排水箱５０に連通して前記基体の外に排水を導く排水管５１とを有している。図３に示すように、排水箱５０は、所定範囲内で回動する流し板３１の後端部の下方に設けられており、基板３０が開放位置ＯＰから持ち上げられて閉止位置ＣＬに向かう動作時には、流し板３１の後端部をその内部に受け入れるように構成されている。従って、流し板３１の後端から落下する排水は、すべて排水箱５０内に落ち、外にこぼれることがない。
【００３３】
（３）可動部の作用（図３及び図６乃至図８を参照）
図６に示すように、収納棚２のすべての扉１２’，１３’，１４’が閉止され、収納式流し台１のすべての扉８’，９’，１７’と流し部６が閉止されると、ユニット式ドレッサー３全体としては、その前面側の全体が一平面を構成する大きな１枚の鏡のような状態となり、姿見等として使用することができる。なお、この状態では流し部６は錘３７の作用により勝手に手前に倒れて開いてしまうことはないが、流し板３１の先端部の上面と筐体４の開口５の上縁部との間にマグネット等を利用した解除自在の固定手段を設けてもよい。
【００３４】
収納式流し台１の流し部６を使用する場合には、図７に示すように流し部６を手前に倒すように回動させる。流し部６は、基板３０が筐体４に回動可能に連結されるとともに、この基板３０の先端に連結された流し板３１が後端部に錘３７の荷重を受けつつ筐体４内の支持部３６に支持されながら一緒に回動するので、その回動は滑らかでごく小さな力で操作可能である。また、収納棚２の第３の扉１４’を開く際には、手前に引いて下方に引き下げればよい。第３の扉１４’を支える平行リンク支持機構２０は小さな外力で円滑に扉１４’を移動させる機能を有し、所望の位置で停止して当該位置に扉１４’を位置決めすることができる。
【００３５】
図８に示すように、収納式流し台１の流し部６を略水平な開放状態ＯＰに設定する。前記錘３７の作用及び流し板３１が下から当接する当接部３８にゴム材４０があるので、開放状態ＯＰに設定する際に流し部６に加わる衝撃は小さく、騒音は発生しない。そして開放状態ＯＰに設定された流し部６は、基板３０の基端が筐体４に結合されるとともに該基板３０の先端に連結された流し板３１の後端が筐体４内で支持部３６に支持されて当接部３８で固定されるので、その姿勢は安定しており、機械的な強度も十分であり、若干の力が流し板３１の水受け面３１ａに加わっても問題がない。
【００３６】
また、図８に示すように、この時、収納棚２の第３の扉１４’を下方の適当な位置に設定して使用することもできる。手前に倒して開放状態ＯＰとした流し板３１は載置台として用い、第３の扉１４’の鏡を用いれば、ドレッサーとなる。すなわち、流し板３１の上には化粧品等を置くこともできるし、必要に応じて蛇口４１から水を出して使用することもでき、また第３の扉１４’の位置を変更して鏡の位置を調整することもできる。
【００３７】
なお、以上説明したユニット式ドレッサー３の全体を壁面に設けた凹所に埋め込むように設置し、全面が鏡であるユニット式ドレッサー３の前面を壁面と一致させるようにすれば、壁面に設けた大きな鏡が各分割部分ごとに開いて戸棚となったり、収納式の流し台になったり、またドレッサーとして使用できるので、以上説明したような実用的な効果とともにインテリアとしての意外性及び審美的効果も期待でき、ユーザーの利便性及び興味が増大するという効果がある。
【図面の簡単な説明】
【００３８】
【図１】図１は図２のＡ−Ａ切断線における本例の縦断面図である。
【図２】図２は筐体の内部が表れるように扉を撤去するとともに流し部を開放した状態を示す本例の正面図である。
【図３】図３は図１の要部拡大図である。
【図４】図４は図２の要部拡大図である。
【図５】図５は図４のＢ−Ｂ切断線における拡大断面図である。
【図６】図６は開閉部分が閉止状態にある本例の斜視図である。
【図７】図７は開閉部分が開放動作中の状態にある本例の斜視図である。
【図８】図８は開閉部分が開放状態にある本例の斜視図である。
【符号の説明】
【００３９】
１…収納式流し台、
２…収納棚、
３…ユニット式ドレッサー、
４…筐体、
５…開口、
６…流し部、
７…排水手段、
２０…平行リンク支持機構、
３０…基板、
３１…流し板、
３２…立上り、
３３…鏡、
３４…袋状係合部、
３５…凸状係合部、
３６…支持部、
３７…錘、
３８…当接部、
４１…蛇口、
５０…排水箱、
５１…排水管。
【図１】
2005131025.tif 000003
【図２】
2005131025.tif 000004
【図３】
2005131025.tif 000005
【図４】
2005131025.tif 000006
【図５】
2005131025.tif 000007
【図６】
2005131025.tif 000008
【図７】
2005131025.tif 000009
【図８】
2005131025.tif 000010